(57)【要約】【課題】切断刃と溝切刃の間隔の調節が可能で、複数種のパイプの切断・溝切り同時加工に対応することができるパイプ切断機のカッターを提供することを課題とする。【解決手段】ローラー付きチェーンを介して切断すべきパイプの外周面に設置されて当該パイプの外周面に沿って進行しながら切断動作及び溝切り動作を行なうパイプ切断機のカッターであって、回転駆動軸８に取り付けられるカッターホルダー１と、前記カッターホルダー１に組み付けられる補助スペーサ２、溝切刃３、主スペーサ４、切断刃５、及び押えカバー６と、前記カッターホルダー１を前記回転駆動軸８に固定する締付ナット９とから成り、前記補助スペーサ２と前記溝切刃３の組み付け位置を交換可能にした。【選択図】図１
2006181695.tif 000002
【特許請求の範囲】
【請求項１】
ローラー付きチェーンを介して切断すべきパイプの外周面に設置されて当該パイプの外周面に沿って進行しながら切断動作と溝切動作を同時に行なうパイプ切断機のカッターであって、回転駆動軸に取り付けられるカッターホルダーと、前記カッターホルダーに組み付けられる補助スペーサ、溝切刃、主スペーサ、切断刃、及び押えカバーと、前記カッターホルダーを前記回転駆動軸に固定する締付ナットとから成り、前記補助スペーサと前記溝切刃の組み付け位置を交換可能にしたことを特徴とするパイプ切断機のカッター。
【請求項２】
ローラー付きチェーンを介して切断すべきパイプの外周面に設置されて当該パイプの外周面に沿って進行しながら切断動作と溝切動作を同時に行なうパイプ切断機のカッターであって、回転駆動軸に取り付けられるカッターホルダーと、前記カッターホルダーに組み付けられる補助スペーサ、溝切刃、主スペーサ、切断刃、及び押えカバーと、前記カッターホルダーを前記回転駆動軸に固定する締付ナットとから成り、前記補助スペーサと前記溝切刃は一体化されていて、前記カッターホルダーに対する組み付け向きを変更可能にしたことを特徴とするパイプ切断機のカッター。
【請求項３】
前記カッターホルダーは、前記補助スペーサ、溝切刃、主スペーサ、切断刃、及び押えカバーに挿通される複数のガイド軸を有している請求項１又は２に記載の切断機のカッター。
【発明の詳細な説明】
【技術分野】
【０００１】
本発明は、水道工事、土木工事等の工事現場で、比較的口径の大きい水道用又はガス用のダクタイル鋳鉄管等のパイプを切断すると同時に、ロックバンド嵌着用の溝切加工を行なうためのパイプ切断機のカッターであって、口径の異なる、換言すれば、溝切り位置の異なる複数種のパイプの切断・溝切り同時加工に対応し得るパイプ切断機のカッターに関するものである。
【背景技術】
【０００２】
従来のパイプ切断機のカッターは、先ず溝切刃２２が本体回転駆動軸２１に取り付けられ、次いで、カッターホルダー２３に取り付けられた切断刃２４が回転駆動軸２１に取り付けられ、カッターホルダー２３によって溝切刃２２と切断刃２４との間に所定の間隔が保持されるという構成を採る（図４）。
【０００３】
ところで、上記カッターを用いてのパイプの切断・溝切り加工は、パイプを切断しつつ、その切断面から所定距離の外周面に、ロックバンドを嵌め付けるための溝を形成するものであるが、従来は上記パイプの寸法が単一であって、上記切断面から溝形成個所までの距離も一定のものであったため、カッターホルダー２３の厚みによって決定される切断刃２４と溝切刃２２の間隔も、これに合わせた一定のもので足りていた。
【０００４】
しかるに近時、従来のものとは径が異なり、溝形成位置も異なるパイプも用いられるようになってきているが、上記従来のカッターはそれに対応することができず、各パイプに適合するカッターを別途用意しなければならないこととなり、経済的負担が増大していた。
【０００５】
【特許文献１】特公昭５６−２３７２７号公報
【特許文献２】特公昭５８−２３５４４号公報
【特許文献３】特公昭５９−９２８８号公報
【特許文献４】特許第２６７６３３１号公報
【特許文献５】実公昭６１−４２７４１号公報
【特許文献６】実公平５−６００８号公報
【発明の開示】
【発明が解決しようとする課題】
【０００６】
上述したように、従来のパイプ切断機におけるカッターは、切断刃と溝切刃の間隔が一定であって、切断面から溝までの間隔が一定のパイプの加工にしか用いることができず、サイズの異なるパイプの加工には別のカッターを用意しなければならない煩わしさがあり、経済的にも負担となっていた。
【０００７】
本発明はかかる問題を解決するためになされたもので、切断刃と溝切刃の間隔の調節が可能で、複数種のパイプの切断・溝切り同時加工に対応することができるパイプ切断機のカッターを提供することを課題とする。
【課題を解決するための手段】
【０００８】
上記課題を解決するために、請求項１に係る発明は、ローラー付きチェーンを介して切断すべきパイプの外周面に設置されて当該パイプの外周面に沿って進行しながら切断動作及び溝切り動作を行なうパイプ切断機のカッターであって、回転駆動軸に取り付けられるカッターホルダーと、前記カッターホルダーに組み付けられる補助スペーサ、溝切刃、主スペーサ、切断刃、及び押えカバーと、前記カッターホルダーを前記回転駆動軸に固定する締付ナットとから成り、前記補助スペーサと前記溝切刃の組み付け位置を交換可能にしたことを特徴とするパイプ切断機のカッターを提唱する。
【０００９】
上記課題を解決するために、請求項２に係る発明は、ローラー付きチェーンを介して切断すべきパイプの外周面に設置されて当該パイプの外周面に沿って進行しながら切断動作と溝切動作を同時に行なうパイプ切断機のカッターであって、回転駆動軸に取り付けられるカッターホルダーと、前記カッターホルダーに組み付けられる補助スペーサ、溝切刃、主スペーサ、切断刃、及び押えカバーと、前記カッターホルダーを前記回転駆動軸に固定する締付ナットとから成り、前記補助スペーサと前記溝切刃は一体化されていて、前記カッターホルダーに対する組み付け向きを変更可能にしたことを特徴とするパイプ切断機のカッターを提唱する。
【発明の効果】
【００１０】
本発明に係るパイプ切断機のカッターは上記構成であるため、カッターホルダーに組み付ける溝切刃とスペーサの位置を入れ替えることにより、切断刃と溝切刃の間隔が変更可能であり、以て種々のサイズのパイプの切断・溝切り同時加工作業に使用できて、経済性に富む効果がある。
【発明を実施するための最良の形態】
【００１１】
本発明を実施するための最良の形態について、添付図面に依拠して説明する。本発明に係るパイプ切断機のカッターは、パイプ切断機本体の回転駆動軸８に取り付けられてこれと一体に回転するカッターホルダー１に、補助スペーサ２、溝切刃３、主スペーサ４、切断刃５、及び押えカバー６をこの順に組み付けて成る。但し、後述するように、補助スペーサ２と溝切刃３は逆になることがある。
【００１２】
カッターホルダー１及び押えカバー６は、回転駆動軸８の先端部に締付ナット９をネジ付けることによって回転駆動軸８から抜けないようになり、カッターホルダー１に組み付けられた各部品も、回転駆動軸８の軸上に支持されることとなる。
【００１３】
カッターホルダー１は、円形の基台の中央に、回転駆動軸８を挿通する軸筒１０を備え、軸筒１０の周囲に、等間隔置きに複数のガイド軸１１を立設して成り、補助スペーサ２、溝切刃３、主スペーサ４、切断刃５、及び、押えカバー６のそれぞれに、ガイド軸１１を挿通する軸挿通孔１２が形成される。
【００１４】
切断刃５、押えカバー６、及び締付ナット９は、特に従来のものと変わりはなく、そのまま利用することができる。第１の実施形態においては、溝切刃３も従来のものと同様の構成でよいが、第２の実施形態においては、溝切刃３と補助スペーサ２とが一体化される。
【００１５】
回転駆動軸８にはキー１３が設置され、軸筒１０の内面に、キー１３が嵌合するキー溝１４が形成される。かくして、キー１３をキー溝１４に嵌合させてカッターホルダー１を回転駆動軸８に取り付けることにより、カッターホルダー１は、回転駆動軸８と一体となって回転する。１５はカッターをカバーするフードである。
【００１６】
上記構成において、カッターホルダー１に対して補助スペーサ２、溝切刃３、主スペーサ４、切断刃５、押えカバー６をこの順に組み付けた場合（図１）、溝切刃３と切断刃５との間隔は主スペーサ４によって決定されるが、締付ナット９を外して分解し、補助スペーサ２と溝切刃３の組み付け順を逆にすれば（図２）、補助スペーサ２の厚さ分、その間隔を広げることができる。
【００１７】
従って、主スペーサ４によって決定される間隔、並びに、主スペーサ４と補助スペーサ２とによって決定される間隔を、それぞれ別サイズのパイプの端面から溝形成部までの間隔に対応させておけば、１つのカッターで、複数種のパイプの切断・溝切り同時加工に対応可能となる。
【００１８】
なお、より汎用性を持たせるためには、厚さの異なる補助スペーサ２を用意しておけばよく、また、補助スペーサ２を複数枚重ねて使用することとしてもよい。
【００１９】
補助スペーサ２と溝切刃３とが一体化される第２の実施形態の場合には、その表裏を逆にしてカッターホルダー１に組み付けることにより、第１の実施形態の場合と同様に、溝切刃３と切断刃５の間隔調整が可能となる。
【００２０】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２１】
【図１】本発明に係るパイプ切断機のカッターの一使用例を示す図である。
【図２】本発明に係るパイプ切断機のカッターの他の使用例を示す図である。
【図３】本発明に係るパイプ切断機のカッターの分解図である。
【図４】従来のパイプ切断機の分解図である。
【符号の説明】
【００２２】
１    カッターホルダー
２    補助スペーサ
３    溝切刃
４    主スペーサ
５    切断刃
６    押えカバー
８    回転駆動軸
９    締付ナット
１０    軸筒
１１    ガイド軸
１２    軸挿通孔
１３    キー
１４    キー溝
１５    フード
【図１】
2006181695.tif 000003
【図２】
2006181695.tif 000004
【図３】
2006181695.tif 000005
【図４】
2006181695.tif 000006